(57)【要約】【課題】本発明は、デザイン性が向上すると同時に、デザインの変更にも容易に対応可能な構成のソファを提供する。【解決手段】本発明のソファは、前部下端に前側接地部を有するブロック状の前側座部材と、後部下端に後側接地部を有するブロック状の後側座部材と、前記前側座部材の後側上端と前記後側座部材の前側上端とを接合する接合部材と、を備え、少なくとも前記前側座部材の上面が、着座者が着座する座面として機能し、前記前側接地部と前記後側接地部との間に前記幅方向に貫通する空間が形成されている。【選択図】図１
2020185085.tif 000002
【特許請求の範囲】
【請求項１】
前部下端に前側接地部を有するブロック状の前側座部材と、
後部下端に後側接地部を有するブロック状の後側座部材と、
前記前側座部材および前記後側座部材を接合する接合部材と、を備え、
少なくとも前記前側座部材の上面が、着座者が着座する座面として機能し、
前記前側接地部と前記後側接地部との間に幅方向に貫通する空間が形成されている
ソファ。
【請求項２】
前記前側座部材および前記後側座部材は、
前記前側座部材の前側接合部と、当該前側接合部に対向する後側座部材の後側接合部とが、互いに突き合わされた状態で接合されている
請求項１に記載のソファ。
【請求項３】
前記前側接合部と前記後側接合部とは、互いに向き合う一対の接合面からなり、
前記一対の接合面が下方に向うに従って前方に向かうように傾斜している
請求項２に記載のソファ。
【請求項４】
前記空間は、前記前側接合部および前記後側接合部から下方へ向かうにしたがって奥行方向へ広がる空間とされている
請求項１から３のいずれか一項に記載のソファ。
【請求項５】
前記前側座部材は、幅方向視して、
前側上面と、
前記空間に面して前記前側接合部から前側に向かうにしたがって下方へと向かい前記前側接地部に接続する前側下面と、
前記前側下面よりも前側に形成され前記前側接地部から上方へと延び前記前側上面と接続される前面と、を有する
請求項１から４のいずれか一項に記載のソファ。
【請求項６】
前記後側座部材は、幅方向視して、
後側上面と、
前記空間に面して前記後側接合部から後側に向かうにしたがって下方へと向かい前記後側接地部に接続する後側下面と、
前記後側下面よりも後側に形成され前記後側接地部から上方へと延び前記後側上面と接続される後面とを有する
請求項１から５のいずれか一項に記載のソファ。
【請求項７】
前記後側座部材は、下方に向かうにしたがって奥行き寸法が小さくなっている
請求項６に記載のソファ。
【請求項８】
少なくとも前記前側座部材の前記上面に設けられるブロック状のアームレストを備え、
前記アームレストは、前記前側座部材に対して固定されている
請求項１から７のいずれか一項に記載のソファ。
【請求項９】
前記後側座部材の上面に設けられるブロック状の背凭れ部材を備え、
前記背凭れ部材は、前記後側座部材に対して固定されている
請求項１から８のいずれか一項に記載のソファ。
【請求項１０】
前記後側座部材上に設けられるブロック状の背凭れ部材を備え、
前記背凭れ部材は、前記後側座部材に対して固定されているとともに、上方に向かうにしたがって奥行き寸法が小さくなっている
請求項７に記載のソファ。
【発明の詳細な説明】
【技術分野】
【０００１】
本発明は、ソファに関するものである。
【背景技術】
【０００２】
従来より、ブロック状のクッション体が複数組み合わされることで構成されるソファが知られている（例えば特許文献１）。
【先行技術文献】
【特許文献】
【０００３】
【特許文献１】特開２０１７−６４１４６号公報
【発明の概要】
【発明が解決しようとする課題】
【０００４】
特許文献１の構成では、複数のクッション体の位置を変えて組み替えることでソファ全体の形を変えることができるものの、各クッション体は、座部材、背凭れ部材、肘掛部材等が一体的に構成されているため、クッション体自体のデザインおよびソファ全体のデザインの変更は容易ではない。また、奥行方向を全体に配されたブロック状の座部材と、座部材の後部に固定された背凭れとにより構成されていて全体として重厚な作りとなり、デザイン性の向上が望まれていた。
【０００５】
本発明の一つの態様は、上記従来技術の問題点に鑑み成されたものであって、デザイン性が向上すると同時に、デザインの変更にも容易に対応可能な構成のソファを提供することを目的とする。
【課題を解決するための手段】
【０００６】
本発明の一形態のソファは、前部下端に前側接地部を有するブロック状の前側座部材と、後部下端に後側接地部を有するブロック状の後側座部材と、前記前側座部材および前記後側座部材を接合する接合部材と、を備え、少なくとも前記前側座部材の上面が、着座者が着座する座面として機能し、前記前側接地部と前記後側接地部との間に前記幅方向に貫通する空間が形成されている。
【０００７】
この構成によれば、前側座部材と後側座部材との間に形成される空間の形や大きさ等によって、座を構成する部材としてブロック状の部材を備えつつ軽快感を与えることにより、ソファとしてのデザイン性が向上すると同時に、前側座部材および後側座部材の少なくとも一方を交換することによって、ソファ全体のデザインの変更にも容易に対応可能な構成とすることができる。さらに、前側座部材および後側座部材をそれぞれ様々なデザインで設計することができ、これらを組み合わせることでデザインの幅が広がる。
【０００８】
本発明の一形態のソファにおいて、前記前側座部材および前記後側座部材は、前記前側座部材の前側接合部と、当該前側接合部に対向する後側座部材の後側接合部とが、互いに突き合わされた状態で接合されている。
【０００９】
この構成によれば、前側座部材と後側座部材との間に隙間がないため、シンプルにまとまったデザインのソファとすることができる。
【００１０】
本発明の一形態のソファにおいて、前記前側接合部と前記後側接合部とは、互いに向き合う一対の接合面からなり、前記一対の接合面が下方に向うに従って前方に向かうように傾斜している。
【００１１】
この構成によれば、後側座部材で前側座部材を支えることができるため、前側座部材側に着座する着座者の荷重を安定して受けることができる。
【００１２】
本発明の一形態のソファにおいて、前記空間は、前記前側接合部および前記後側接合部から下方へ向かうにしたがって奥行方向へ広がる空間とされている。
【００１３】
この構成によれば、ソファの設置スペースの周囲の空間と融合し、一体的な空間とすることができる。また、奥行方向へ空間が広がることで前側座部材と後側座部材の奥行形状が下方へ向かって細くなるため、見た目がすっきりとした印象を与えることができるなど、視覚的効果で軽量感を演出することができる。
【００１４】
本発明の一形態のソファにおいて、前記前側座部材は、幅方向視して、前側上面と、前記空間に面して前記前側接合部から前側に向かうにしたがって下方へと向かい前記前側接地部に接続する前側下面と、前記前側下面よりも前側に形成され前記前側接地部から上方へと延び前記前側上面と接続される前面と、を有する。
【００１５】
この構成によれば、幅方向視において、前側座部材は下方に向かうにしたがって奥行寸法が短くなっており、ソファ全体の軽量感を演出することができる。また、座面として機能する前側上面の下方に前側接地部を設けることで、前側接地部に着座者の荷重が集中し、着座者の荷重を安定して支持することができる。
【００１６】
本発明の一形態のソファにおいて、前記後側座部材は、幅方向視して、後側上面と、前記空間に面して前記後側接合部から後側に向かうにしたがって下方へと向かい前記後側接地部に接続する後側下面と、前記後側下面よりも後側に形成され前記後側接地部から上方へと延び前記後側上面と接続される後面とを有する。
【００１７】
この構成によれば、前側座部材および後側座部材は、下方に向かうにしたがって奥行寸法が短くなっており、これらを組み合わせることで、ソファ全体としての軽量感を演出することができる。また、後側上面の下方に後側接地部を設けることで後側接地部に着座者の荷重が集中し、前側接地部とともに安定して支持することができる。
【００１８】
本発明の一形態のソファにおいて、前記後側座部材は、下方に向かうにしたがって奥行き寸法が小さくなっている。
【００１９】
この構成によれば、後側座部材の形状を、ソファとしての安定感と、軽快感を両立する独特なデザインとすることができ、ソファ全体の軽量感を演出することができる。
【００２０】
本発明の一形態のソファにおいて、少なくとも前記前側座部材の前記上面に設けられるブロック状のアームレストを備え、前記アームレストは、前記前側座部材に対して固定されている。
【００２１】
この構成によれば、背凭れのない構成であっても所望の位置にアームレストを設けることができる。
【００２２】
本発明の一形態のソファにおいて、前記後側座部材の上面に設けられるブロック状の背凭れ部材を備え、前記背凭れ部材は、前記後側座部材に対して固定されている。
【００２３】
この構成によれば、着座者の背凭れにかかる荷重を後側座部材において十分に支持することができる。
【００２４】
本発明の一形態のソファにおいて、前記後側座部材上に設けられるブロック状の背凭れ部材を備え、前記背凭れ部材は、前記後側座部材に対して固定されているとともに、上方に向かうにしたがって奥行き寸法が小さくなっている。
【００２５】
この構成によれば、背凭れ部材は上に行くにしたがって奥行き寸法が小さくなり、後側座部材は下に行くにしたがって奥行き寸法が小さくなり、両者が上下で対称に近い形状となることで、複数のブロック状の部材により安定感を与えつつ、調和のとれたデザインとすることができ独特なデザインとすることができる。
【発明の効果】
【００２６】
本発明によれば、デザイン性が向上すると同時に、デザインの変更にも容易に対応可能な構成のソファを提供することができる。
【図面の簡単な説明】
【００２７】
【図１】図１は、本発明の第１実施形態に係るソファを斜め前方から見た斜視図である。
【図２】図２は、本発明の第１実施形態に係るソファを斜め下方から見た斜視図である。
【図３Ａ】図３Ａは、本発明の第１実施形態に係るソファの内部構造を側方側から示す斜視図である。
【図３Ｂ】図３Ｂは、本発明の第１実施形態に係るソファの内部構造を側方側から示す斜視図である。
【図４】図４は、本発明の第２実施形態に係るソファを斜め前方から見た斜視図である。
【図５】図５は、本発明の第２実施形態に係るソファの内部構造を側方側から示す図である。
【発明を実施するための形態】
【００２８】
以下、添付図面を参照して、本発明におけるソファを実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００２９】
以下の説明において、ソファの背凭れに背中を向けて正規姿勢で着座した人の正面を向く向きを「前」と呼び、それと逆側の向きを「後」とし、ソファに正規姿勢で着座した人の上方を向く向きを「上」、それと逆側の向きを「下」とし、ソファに正規姿勢で着座した人の左方を「左」、右方を「右」とする。また、ソファの左右方向を「幅方向」と呼ぶ。
【００３０】
また、図面においては、適宜３次元直交座標系としてＸＹＺ座標系を示す。ＸＹＺ座標系において、「Ｘ方向」は、図１に示すソファの「幅方向」と平行な方向とする。「Ｚ方向」は、Ｘ方向と直交する方向であって図１の「上下方向」とする。「Ｙ方向」は、Ｘ方向とＺ方向との両方と直交する「奥行方向」とする。
【００３１】
＜第１実施形態＞
図１は、本発明の第１実施形態に係るソファを斜め前方から見た斜視図である。図２は、本発明の第１実施形態に係るソファを斜め下方から見た斜視図である。図３Ａは、本発明の第１実施形態に係るソファの内部構造を側方側から示す斜視図である。図３Ｂは、本発明の第１実施形態に係るソファの内部構造を側方側から示す斜視図である。
【００３２】
図１および図２に示すように、本実施形態のソファ１００は、前側座部材１１と、後側座部材１２と、背凭れ部材１３と、前側座部材１１および後側座部材１２を接合する第１接合部材（接合部材）１４と、後側座部材１２および背凭れ部材１３を接合する第２接合部材１５と、を備えている。
【００３３】
ソファ１００は、それぞれブロック形状をなす前側座部材１１、後側座部材１２および背凭れ部材１３を互いに組み合わせて構成されたもので、前側座部材１１の前部下端に設けられた複数の前側接地部１６と、後側座部材１２の後部下端に設けられた複数の後側接地部１７と、によって支持されている。本実施形態において、前側座部材１１、後側座部材１２および背凭れ部材１３は、幅方向（Ｘ方向）の長さが互いに等しい形状とされているが、これに限らない。
【００３４】
ソファ１００は、前側座部材１１と後側座部材１２との間であって、前側接地部１６と後側接地部１７との間に幅方向に貫通する空間Ｋを有している。空間Ｋは、前側座部材１１と後側座部材１２との接合部位よりも下側に形成され、下方に向かうにしたがって奥行方向へ広がる空間とされている。
【００３５】
（前側座部材）
前側座部材１１は、前側上面１１ａと、前面１１ｂと、前側下面１１ｃと、一対の側面１１ｄ，１１ｄ（一方は不図示）と、を有する。
幅方向視において、前側下面１１ｃは、上記空間Ｋに面して、前側接合面１１Ａの下端側から前側に向かうにしたがって下方へと向かい前側接合面１１Ａに接続する。
前面１１ｂは、前側下面１１ｃよりも前方に位置し、後側接合面１２Ａから上方へと延びるとともに座面として機能する前側上面１１ａに接続する。
【００３６】
前側座部材１１は、ソファ１００の奥行方向（Ｙ方向）に離れて配置されるとともにこれらの間に前側上面１１ａが形成された第１頂部Ｐ１および第２頂部Ｐ２と、前側上面１１ａよりも下方であって奥行方向で第１頂部Ｐ１と第２頂部Ｐ２との間に位置する第３頂部Ｐ３と、を有し、各頂部Ｐ１，Ｐ２，Ｐ３はそれぞれ丸みを帯びた形状となっている。前側座部材１１は、幅方向視において、下方に向かうにしたがって奥行寸法が短くなっている。本実施形態では、略逆三角形状をなす。
【００３７】
前側座部材１１の第３頂部Ｐ３には、一対の前側接地部１６，１６が幅方向（Ｘ方向）に所定の間隔をあけて配置されている。このように、座面として機能する前側上面１１ａの下方に前側接地部１６，１６を設けることで、前側接地部１６，１６に着座者の荷重が集中し、着座者の荷重を安定して支持することができる。
【００３８】
前側座部材１１の第３頂部Ｐ３に沿う下端には、内側（Ｚ方向側）へ緩やかに窪む窪み部１８が形成されている。窪み部１８の幅方向中央付近が最も窪んだ形状となっており、その両端側に前側接地部１６，１６が位置している。
【００３９】
前側座部材１１の前面１１ｂおよび前側下面１１ｃは、それぞれの下端側が窪み部１８に連続している。そのため、ソファ１００の前方から窪み部１８を視認できる。
【００４０】
（後側座部材）
後側座部材１２は、後側上面１２ａと、後側下面１２ｂと、後面１２ｃと、一対の側面１２ｄ，１２ｄ（一方は不図示）と、を有する。
幅方向から見て、後側下面１２ｂは、上記空間Ｋに面して、後側接合面１２Ａの下端側から後側に向かうにしたがって下方へと向かい後側接合面１２Ａに接続する。後面１２ｃは、後側下面１２ｂよりも後方に形成され後側接地部１７から上方へ延び、後側上面１２ａと接続される。本実施形態の後側座部材１２は、幅方向視において、下方に向かうにしたがって奥行寸法が短くなっている。
【００４１】
後側座部材１２は、奥行方向（Ｙ方向）に離れて配置されるとともにこれらの間に後側上面１２ａが形成された第４頂部Ｐ４および第５頂部Ｐ５と、後側上面１２ａよりも下方であって奥行方向で第５頂部Ｐ５よりも後方に位置する第６頂部Ｐ６と、後側上面１２ａよりも下方であって奥行方向で第４頂部Ｐ４よりも前方に位置する第７頂部Ｐ７と、を有し、各頂部Ｐ４，Ｐ５，Ｐ６，Ｐ７はそれぞれ丸みを帯びた形状となっている。
【００４２】
後側座部材１２の第６頂部Ｐ６には、複数の後側接地部１７が幅方向（Ｘ方向）に所定の間隔をあけて配置されている。このように、後側上面１２ａの下方に後側接地部１７，１７を設けることで、後側接地部１７，１７に着座者の荷重が集中し、前側接地部１６，１６とともに着座者の荷重を安定して支持することができる。
【００４３】
後側座部材１２の第６頂部Ｐ６に沿う下端には、内側（Ｚ方向側）へ緩やかに窪む窪み部１９が形成されている。後側座部材１２においては、一対の後側接地部１７，１７どうしの間に窪み部１９が形成されている。後側座部材１２の後側下面１２ｂおよび後面１２ｃは、それぞれの下端側が窪み部１９に連続している。そのため、ソファ１００の後方から窪み部１９を視認できる。
【００４４】
これら前側座部材１１および後側座部材１２において、各下端側の奥行寸法を短くするとともに、それぞれに窪み部１８，１９を設けることで、ソファ１００全体の軽量感を演出することができる。
【００４５】
（背凭れ部材）
背凭れ部材１３は、上端面１３ａと、前面１３ｂと、後面１３ｃと、下端面１３ｄと、一対の側面１３ｅと、を有する。
【００４６】
幅方向から見て、背凭れ部材１３は、後側座部材１２に対して固定されているとともに、上方に向かうにしたがって奥行き寸法が小さくなっている。
【００４７】
背凭れ部材１３は、上端側に位置し、奥行方向（Ｙ方向）に所定の間隔をおいて配置されこれらの間に上端面１３ａを形成する第８頂部Ｐ８および第９頂部Ｐ９と、下端側に位置し、奥行方向の配置間隔が上端側よりも広い間隔とされこれらの間に下端面１３ｄを形成する第１０頂部Ｐ１０および第１１頂部Ｐ１１と、を有し、各頂部Ｐ８，Ｐ９，Ｐ１０，Ｐ１１は、それぞれ丸みを帯びた形状となっている。
【００４８】
背凭れ部材１３の前面１３ｂが、着座者の背中からの荷重を受ける背凭れ面として機能する。側面視において、背凭れ部材１３の上端面１３ａは、奥行方向において下端面１３ｄの前端よりも後方に位置する。背凭れ部材１３は、その前面１３ｂが、第８頂部Ｐ８よりも前方に位置する第１０頂部Ｐ１０に向けて前方へ凸状に湾曲した形状をなしており、このような前面１３ｂによって着座者の腰椎部を支えることで着座者の長期間の座り心地を高めることができる。
【００４９】
上述した前側座部材１１および後側座部材１２は、前側座部材１１の後側上端に設けられた前側接合面（前側接合部）１１Ａと、前側接合面１１Ａに対向するとともに後側座部材１２の前側上端に設けられた後側接合面（後側接合部）１２Ａと、が互いに突き合わされた状態で、第１接合部材１４（図３Ｂ参照）により密接に接合されている。
【００５０】
前側接合面１１Ａと後側接合面１２Ａとは奥行方向で互いに向き合っている。前側接合面１１Ａは下方に向かって傾斜し、後側接合面１２Ａは上方に向かって傾斜している。具体的に、前側接合面１１Ａおよび後側座部材１２は、それぞれの上端側がそれぞれの下端側よりも後方へ位置するように傾斜している。
【００５１】
上述した背凭れ部材１３は、その下端面１３ｄを後側座部材１２の後側上面１２ａに突き合わせた状態で第２接合部材１５（図３Ｂ参照）により密接に接合されている。
【００５２】
図３Ａに示すように、前側座部材１１、後側座部材１２および背凭れ部材１３は、内部構造部、クッション材、表皮材をそれぞれ個別に有している。
内部構造部は、木材、樹脂材、金属部材等からなる。クッション材は、例えば、ウレタン等、適宜のクッション材からなる。表皮材は、例えば、皮革、布、ビニール系素材当からなる。
【００５３】
前側座部材１１は、図３Ａおよび図３Ｂに示すように、内部構造部５１Ａ，クッション材５１Ｂ、表皮材５１Ｃを有する。内部構造部５１Ａは、図３Ｂに示すように、矩形状の上板５１ａと、上板５１ａの前端側に設けられた矩形状の前板５１ｂと、上板５１ａの後端側に設けられ前板５１ｂの一部に対向する矩形状の接合板５１ｃと、前板５１ｂの下端内側に設けられた接地部固定材５１ｆと、上板５１ａ、前板５１ｂ、接地部固定材５１ｆおよび接合板５１ｃにおけるこれら各部材の両側の側端面を一度に覆う側板５１ｄ，５１ｄと、を有する。
【００５４】
前板５１ｂと接合板５１ｃとは、互いの下端側を近づける方向に傾斜している。前板５１ｂは、後側へ向かうにしたがって下方へと向かい、接地部固定材５１ｆに接続している。接合板５１ｃは、前側へ向かうにしたがって下方へと向かい、その下端側はいずれの部材にも接続しておらず、後述の作業用開口５１ｇを形成する。
【００５５】
内部構造部５１Ａは、接合板５１ｃの下方に位置し、接合板５１ｃ、接地部固定材５１ｆ、一対の側板５１ｄ、５１ｄによって区画される作業用開口５１ｇをさらに有している。
【００５６】
クッション材５１Ｂは、内部構造部５１Ａの上板５１ａおよび前板５１ｂ上に設けられている。表皮材５１Ｃは、クッション材５１Ｂおよび内部構造部５１Ａを一体的に覆って設けられている。
【００５７】
後側座部材１２は、図３Ａおよび図３Ｂに示すように、内部構造部５２Ａ、クッション材５２Ｂおよび表皮材５２Ｃを有する。内部構造部５２Ａは、図３Ｂに示すように、矩形状の上板５２ａと、上板５２ａの後端側に設けられた矩形状の後板５２ｂと、上板５２ａの前端側に設けられ後板５２ｂの一部に対向する矩形状の接合板５２ｃと、後板５２ｂの下端内側に設けられた接地部固定材５２ｆと、上板５２ａ、後板５２ｂ、接地部固定材５２ｆおよび接合板５２ｃにおけるこれら各部材の両側の側端面を一度に覆う側板５２ｄ，５２ｄと、を有する。
【００５８】
上板５２ａの幅方向両側には、上方に向かって延在する一対の延在板５２ｊ，５２ｊと、これら延在板５２ｊ、５２ｊの上端どうしを繋ぐ接合板５２ｋが設けられている。接合板５２ｋは、後側座部材１２に対して背凭れ部材１３を接合するための接合板であって、延在板５２ｊ、５２ｊによって上板５２ａから距離をおいて上板５２ａの上方に位置している。
【００５９】
内部構造部５２Ａは、接合板５２ｃの下方に位置し、接合板５２ｃ、接地部固定材５２ｆ、一対の側板５２ｄ、５２ｄによって区画される作業用開口５２ｇを有している。さらに、後側座部材１２における上板５２ａには、厚さ方向に貫通する貫通孔５２ｈが形成されている。
【００６０】
本実施形態において、後側座部材１２の作業用開口５２ｇは、空間Ｋを介して、上述した前側座部材１１の作業用開口５１ｇに連通しており、前側座部材１１および後側座部材１２を接合する際に作業者が手を入れて作業するための開口である。貫通孔５２ｈは、作業用開口５２ｇに連通している。貫通孔５２ｈは、背凭れ部材１３および後側座部材１２を接合する際に作業者が手を入れて作業するための孔である。
【００６１】
クッション材５２Ｂは、内部構造部５２Ａの上板５２ａおよび後板５２ｂ上に設けられている。表皮材５２Ｃは、クッション材５２Ｂおよび内部構造部５２Ａを一体的に覆って設けられている。
【００６２】
背凭れ部材１３は、図３Ａおよび図３Ｂに示すように、内部構造部５３Ａ、クッション材５３Ｂおよび表皮材５３Ｃを有する。図３Ｂに示すように、内部構造部５３Ａは、矩形状の上板５３ａと、上板５３ａの前端側に設けられた矩形状の前板５３ｂと、上板５３ａの後端側に設けられた矩形状の後板５３ｃと、前板５３ｂおよび後板５３ｃの下端側どうしを接続する接合板５３ｄと、これら各部材の幅方向両側の側端面を一度に覆う側板５３ｅ、５３ｅと、を有する。接合板５３ｄは、その上面が前方へ傾くように傾斜し、前板５３ｂに対して鋭角となるように接続されている。
【００６３】
背凭れ部材１３は、後側座部材１２に対して固定されているとともに、上方に向かうにしたがって奥行き寸法が小さくなっている。
【００６４】
クッション材５３Ｂは、図３Ａに示すように、内部構造部５３Ａの前板５３ｂおよび後板５３ｃ上に設けられている。表皮材５３Ｃは、クッション材５３Ｂおよび内部構造部５３Ａを一体的に覆って設けられている。
【００６５】
図３Ａおよび図３Ｂに示すように、これら内部構造部、クッション材、表皮材をそれぞれ個別に有する前側座部材１１、後側座部材１２および背凭れ部材１３は、第１接合部材１４および第２接合部材１５により接合されて、ソファ１００として組み立てられている。
【００６６】
前側座部材１１および後側座部材１２は、互いの接合面１１Ａ、１２Ａどうしを突き合わせた状態で第１接合部材１４により接合されている。ここで、「突き合わせた状態」とは、前側座部材１１および後側座部材１２の間には何も介在しておらず、表皮材５１Ｃ、５２Ｃが直接接触している状態をさす。前側座部材１１の内部構造部５１Ａにおける接合板５１ｃと、後側座部材１２の内部構造部５２Ａにおける接合板５２ｃとは、それぞれの表皮材５１Ｃ、５２Ｃを介して対向し、第１接合部材１４における複数のねじ５５により固定されている。
【００６７】
互いに接合された状態において、前側座部材１１の前側上面１１ａと、後側座部材１２の後側上面１２ａとは、互いにほぼ同じ高さで水平をなす。
【００６８】
背凭れ部材１３は、下端側に設けられた接合面１３Ａを後側座部材１２の接合面１２Ｂに突き合わせた状態で第２接合部材１５により接合されている。背凭れ部材１３の内部構造部５３Ａにおける接合板５３ｄと、後側座部材１２の内部構造部５２Ａにおける接合板５２ｋとは、それぞれの表皮材５２Ｃ、５２Ｃを介して対向し、第２接合部材１５における複数のねじ５５により固定されている。
【００６９】
前側座部材１１、後側座部材１２および背凭れ部材１３の接合部分には、表皮材のみが存在し、クッション材は介在していない。このように、各パーツに分かれた前側座部材１１、後側座部材１２および背凭れ部材１３を接合することによって本実施形態のソファ１００が構成されている。
【００７０】
本実施形態のソファ１００において、前側座部材１１および後側座部材１２は、下方に向かうにしたがって奥行寸法が短くなる独特なデザインとなっており、これらを組み合わせることで、新しいデザインのソファを提供することができる。
【００７１】
前側座部材１１、後側座部材１２および背凭れ部材１３のうち少なくとも一つをそれぞれ交換することによって、ソファ全体のデザインの変更にも容易に対応可能である。パーツごとに様々なデザインで設計することができるため、デザインの幅を広げることができる。
【００７２】
また、前側座部材１１および背凭れ部材１３は、後側座部材１２の後側接合面１２Ａ，１２Ｂに対してそれぞれの接合面１１Ａ，１３Ａを突き合わせるようにして接合されていることから、後側座部材１２と前側座部材１１および背凭れ部材１３との間には隙間がない。このため、複数のパーツを組み合わせた構成であっても、シンプルにまとまったデザインのソファ１００とすることができる。
【００７３】
また、本実施形態では、前側接合面１１Ａと後側接合面１２Ａとは、奥行方向で互いに向き合っており、その傾斜方向が背凭れ部材１３の傾斜に倣う方向となっている。水平方向に対して傾斜しているため、ソファ１００の前方に立つ着座者が前側座部材１１側から座ったときに、前側座部材１１にかかる荷重を後側座部材１２で支えることができ、堅牢なソファ１００を得ることができる。
【００７４】
同様に、背凭れ部材１３の接合面１３Ａと、後側座部材１２の後側接合面１２Ａとにおいても、奥行方向で互いに向き合っており、後側へ行くにしたがって上方へと向かうように水平方向に対して傾斜している。これにより、背凭れ部材１３にかかる着座者の背中からの荷重を後側座部材１２によって支えることができ、堅牢なソファ１００とすることができる。
【００７５】
本実施形態のソファ１００は、前側座部材１１と後側座部材１２との間に空間Ｋを有しており、この空間Ｋの形や大きさ等によって、座を構成する部材としてブロック状の部材を備えつつ軽快感を与えることにより、ソファ１００としてのデザイン性が向上させることができる。本実施形態では、下方へ向かうにしたがって奥行方向へ広がる空間Ｋが形成されている。そのため、ソファ１００の設置スペースの周囲の空間と融合し、一体的な空間とすることができる。また、奥行方向へ空間Ｋが広がることで、前側座部材１１と後側座部材１２の奥行形状が下方へ行くにしたがって細くなるため、見た目がすっきりとした印象を与えることができ、ソファ１００としての安定感と軽快感を両立する独特なデザインにすることができる。また、空間Ｋによってこのような視覚的効果が得られ、ソファ１００全体の軽量感を演出することができる。
【００７６】
本実施形態では、前側座部材１１の前側上面１１ａが座面として機能するデザインとなっているが、後側座部材１２の後側上面１２ａも座面として機能するデザインに変更することが可能である。またその場合、背凭れ部材１３の前面１３ｂおよび後面１３ｃのそれぞれを背凭れ面とすることで、前側座部材１１および後側座部材１２に着座した人の背中をそれぞれ支持することが可能である。
【００７７】
さらに、本実施形態では、背凭れ部材１３は上に行くにしたがって奥行き寸法が小さくなり、後側座部材１２は下に行くにしたがって奥行き寸法が小さくなり、両者が上下で対称に近い形状となることで、複数のブロック状の部材により安定感を与えつつ、調和のとれたデザインとすることができ独特なデザインとすることができる。
【００７８】
本実施形態では、背凭れ部材１３を備えたソファ１００について述べたが、背凭れ部材１３を備えないデザインとしてもよい。
【００７９】
＜第２実施形態＞
図４は、本発明の第２実施形態に係るソファを斜め前方から見た斜視図である。図５は、本発明の第２実施形態に係るソファの内部構造を側方側から示す図である。
【００８０】
図４に示すように、本実施形態のソファ２００は、前側座部材１１、後側座部材１２、背凭れ部材１３、ヘッドレスト２１、複数のアームレスト２２を備えて構成されている。前側座部材１１、後側座部材１２および背凭れ部材１３は、上述した実施形態と同様の構成のため、説明を省略し、同様の符号を付す。
【００８１】
ヘッドレスト２１は、背凭れ部材１３の上に設置されている。側面視においてヘッドレスト２１は、雫形状をなし、上方に向かうにしたがって奥行寸法が小さくなっている。
【００８２】
ヘッドレスト２１は、幅方向視において、前面２１ａと、後面２１ｂとを有する。前面２１ａは、下端側が前方に膨張するように湾曲し、着座者の頭と首を支えることで着座者の長時間の座り心地を高めることができる。
【００８３】
ヘッドレスト２１は、その下端に設けられた接合面２１Ｂを背凭れ部材１３の上端に設け得られた接合面１３Ｂに突き合わせた状態で、第３接合部材２３により密接に接合されている。
【００８４】
ヘッドレスト２１は、図５に示すように、内部構造部５４Ａ、クッション材５４Ｂ、表皮材５４Ｃを有している。
【００８５】
内部構造部５４Ａは、矩形板状部材５４ａと、矩形板状部材５４ａの下端側に設けられた固定部材５４ｂと、を有している。本実施形態において、固定部材５４ｂは、例えば、垂直方向に起立した矩形板状部材５４ａの板面に沿って延在する棒状体５４ｂ１を有しており、この棒状体５４ｂ１の下端側が背凭れ部材１３の上端側に挿入されている。棒状体５４ｂ１の下端が、背凭れ部材１３の上端に設けられた第３接合部材２３に固定されることによって、ヘッドレスト２１が背凭れ部材１３の上端に密接に接合されている。第３接合部材２３は、ヘッドレスト２１を着脱自在に保持する構成であってもよい。これにより、着座者の使用状態に応じてヘッドレスト２１を取り外すことができる。
【００８６】
アームレスト２２，２２は、図４に示すように、幅方向両側に位置し互いに間隔をおいて設けられている。各アームレスト２２は、上方へ向かって弧状に膨出する上面２２ａと、前側座部材１１の上面に対向する下面２２ｃと、幅方向両側に設けられた側面２２ｂ，２２ｂ（一方は不図示）と、を有する。
【００８７】
各アームレスト２２は、クッション材５５Ｂと表皮材５５Ｃとにより構成され、前側座部材１１、後側座部材１２、背凭れ部材１３のうち少なくともいずれか一つに対して固定されている。本実施形態では、例えば、前側座部材１１の前側上面１１ａの裏側においてねじ止めされて取り付けられている。
【００８８】
本実施形態のソファ２００によれば、ヘッドレスト２１およびアームレスト２２，２２をそれぞれ交換することによって、ソファ全体のデザインの変更にも容易に対応可能な構成とすることができる。さらに、ヘッドレスト２１およびアームレスト２２をそれぞれ様々なデザインで設計することができるとともに、これらを組み合わせることでデザインの幅をより一層広げることができる。
【００８９】
アームレスト２２は、取り外し自在に設けられていてもよいし、背凭れ部材１３側へ跳ね上げ可能とされていてもよい。
【００９０】
なお、アームレスト２２としては、本実施形態のように取付タイプのものに限られず、置き型タイプのアームレストを用いてもよい。置き型タイプのアームレスト２２の場合、内部に重りが内蔵されていてもよい。重りを設けることにより、アームレスト２２の位置ずれを抑制することができる。
【００９１】
以上、本発明の各実施形態を説明したが、各実施形態における各構成およびそれらの組み合わせ等は一例であり、本発明の趣旨から逸脱しない範囲内で、構成の付加、省略、置換およびその他の変更が可能である。また、本発明は上記実施形態によって限定されることはない。
【００９２】
例えば、先の実施形態では、前側座部材１１および後側座部材１２が互いの接合面１１Ａ，１２Ａどうしを突き合わせた状態で接合されているが、面ではなく、点接触した状態で接合されていてもよい。
【符号の説明】
【００９３】
１１…前側座部材、１１ａ…前側上面、１１ｂ，１３ｂ…前面、１１ｃ…前側下面、１１Ａ…前側接合面（前側接合部）、１２…後側座部材、１２ａ…後側上面、１２ｂ…後側下面、１２ｃ，１３ｃ…後面、１２Ａ…後側接合面（後側接合部）、１３…背凭れ部材、１４…第１接合部材（接合部材）、１６…前側接地部、１７…後側接地部、２２ａ…上面、２２ｃ…下面、１００，２００…ソファ、Ｋ…空間
【図１】
2020185085.tif 000003
【図２】
2020185085.tif 000004
【図３Ａ】
2020185085.tif 000005
【図３Ｂ】
2020185085.tif 000006
【図４】
2020185085.tif 000007
【図５】
2020185085.tif 000008